(57)【要約】【課題】ＩＣＴ装置の温度上昇を見越して、通常時のＩＣＴ装置の吸気温度がＩＣＴ装置の許容最高温度よりもやや低くなるように空調出力を設定する必要がある。【解決手段】本発明は、アイルキャッピングの下部のコールドアイルの内部に設置され、コールドアイル内気圧ＰＩＮを計測する第１の気圧計測部と、前記アイルキャッピングの下部の前記コールドアイルの外部に設置され、コールドアイル外気圧ＰＯＵＴを計測する第２の気圧計測部とを備え、空調制御部は、受信した前記内気圧ＰＩＮと前記外気圧ＰＯＵＴとの気圧差ΔＰを演算し、前記気圧差ΔＰと第１の数値Ｐ０を比較して、ΔＰ＜Ｐ０の場合、冷却風量を増やす第１の風量指示信号を空調機に送信し、ΔＰ＞Ｐ０の場合、前記冷却風量を減らす第２の風量指示信号を前記空調機に送信する。【選択図】図４
2014178067.tif 000002
【特許請求の範囲】
【請求項１】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えた空調制御システムであって、
前記アイルキャッピングの下部の前記コールドアイルの内部に設置され、コールドアイル内気圧ＰＩＮを計測する第１の気圧計測部と、
前記アイルキャッピングの下部の前記コールドアイルの外部に設置され、コールドアイル外気圧ＰＯＵＴを計測する第２の気圧計測部とを備え、
前記空調制御部は、
前記内気圧ＰＩＮおよび前記外気圧ＰＯＵＴを受信して、前記内気圧ＰＩＮと前記外気圧ＰＯＵＴとの気圧差ΔＰを演算し、
前記気圧差ΔＰと第１の数値Ｐ０を比較して、ΔＰ＜Ｐ０の場合、前記冷却風量を増やす第１の風量指示信号を前記空調機に送信し、ΔＰ＞Ｐ０の場合、前記冷却風量を減らす第２の風量指示信号を前記空調機に送信することを特徴とする空調制御システム。
【請求項２】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えた空調制御システムであって、
前記アイルキャッピングに設置され、前記アイルキャッピングの下部の前記コールドアイルの内外の気圧差ΔＰ２を計測する気圧差計測部を備え、
前記空調制御部は、
前記気圧差ΔＰ２と第１の数値Ｐ０を比較して、ΔＰ２＜Ｐ０の場合、前記冷却風量を増やす第１の風量指示信号を前記空調機に送信し、ΔＰ２＞Ｐ０の場合、前記冷却風量を減らす第２の風量指示信号を前記空調機に送信することを特徴とする空調制御システム。
【請求項３】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えた空調制御システムであって、
前記アイルキャッピングに設置されたタービンの回転数Ｗを計測するタービン回転数計測部を備え、
前記空調制御部は、
前記回転数Ｗと第２の数値Ｗ０を比較して、Ｗ＜Ｗ０の場合、前記冷却風量を増やす第１の風量指示信号を前記空調機に送信し、Ｗ＞Ｗ０の場合、前記冷却風量を減らす第２の風量指示信号を前記空調機に送信することを特徴とする空調制御システム。
【請求項４】
複数のサーバラック列により、コールドアイルとホットアイルが形成される室内で、前記コールドアイルで形成された空間と前記ホットアイルで形成された空間とを区画する第２のアイルキャッピングと、前記第２のアイルキャッピングの下部の前記コールドアイル内へ供給される空調機の冷却風量を調節する空調制御部とを備えた空調制御システムであって、
前記第２のアイルキャッピングを構成するシートの膨張を表す変位Ｘを測定する変位測定部を備え、
前記空調制御部は、
前記変位Ｘと第３の数値Ｘ０を比較して、Ｘ＜Ｘ０の場合、前記冷却風量を増やす第１の風量指示信号を前記空調機に送信し、Ｘ＞Ｘ０の場合、前記冷却風量を減らす第２の風量指示信号を前記空調機に送信することを特徴とする空調制御システム。
【請求項５】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えたシステムによる空調制御方法であって、
前記アイルキャッピングの下部の前記コールドアイルの内部に設置され、コールドアイル内気圧ＰＩＮを計測する第１の気圧計測部と、
前記アイルキャッピングの下部の前記コールドアイルの外部に設置され、コールドアイル外気圧ＰＯＵＴを計測する第２の気圧計測部とを備え、
前記空調制御部は、
前記内気圧ＰＩＮおよび前記外気圧ＰＯＵＴを受信して、前記内気圧ＰＩＮと前記外気圧ＰＯＵＴとの気圧差ΔＰを演算し、
前記気圧差ΔＰと第１の数値Ｐ０を比較して、ΔＰ＜Ｐ０の場合、前記冷却風量を増やす第１の風量指示信号を前記空調機に送信し、ΔＰ＞Ｐ０の場合、前記冷却風量を減らす第２の風量指示信号を前記空調機に送信することを特徴とする空調制御方法。
【請求項６】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えたシステムによる空調制御方法であって、
前記アイルキャッピングに設置され、前記アイルキャッピングの下部の前記コールドアイルの内外の気圧差ΔＰ２を計測する気圧差計測部を備え、
前記空調制御部は、
前記気圧差ΔＰ２と第１の数値Ｐ０を比較して、ΔＰ２＜Ｐ０の場合、前記冷却風量を増やす第１の風量指示信号を前記空調機に送信し、ΔＰ２＞Ｐ０の場合、前記冷却風量を減らす第２の風量指示信号を前記空調機に送信することを特徴とする空調制御方法。
【請求項７】
複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えたシステムによる空調制御方法であって、
前記アイルキャッピングに設置されたタービンの回転数Ｗを計測するタービン回転数計測部を備え、
前記空調制御部は、
前記回転数Ｗと第２の数値Ｗ０を比較して、Ｗ＜Ｗ０の場合、前記冷却風量を増やす第１の風量指示信号を前記空調機に送信し、Ｗ＞Ｗ０の場合、前記冷却風量を減らす第２の風量指示信号を前記空調機に送信することを特徴とする空調制御方法。
【請求項８】
複数のサーバラック列により、コールドアイルとホットアイルが形成される室内で、前記コールドアイルで形成された空間と前記ホットアイルで形成された空間とを区画する第２のアイルキャッピングと、前記第２のアイルキャッピングの下部の前記コールドアイル内へ供給される空調機の冷却風量を調節する空調制御部とを備えたシステムによる空調制御方法であって、
前記第２のアイルキャッピングを構成する前記シートの膨張を表す変位Ｘを測定する変位測定部を備え、
前記空調制御部は、
前記変位Ｘと第３の数値Ｘ０を比較して、Ｘ＜Ｘ０の場合、前記冷却風量を増やす第１の風量指示信号を前記空調機に送信し、Ｘ＞Ｘ０の場合、前記冷却風量を減らす第２の風量指示信号を前記空調機に送信することを特徴とする空調制御方法。
【発明の詳細な説明】
【技術分野】
【０００１】
本発明は、空調制御システムおよび空調制御方法に関し、より詳細には、データセンタ等のマシン室に存在する空調機の運転状態を制御する空調制御装置および空調制御方法に関する。
【背景技術】
【０００２】
近年、企業のＩＣＴ（Information and Communication Technology：情報通信技術）利用の急速な増加に伴って、ＩＣＴ装置（サーバ）の消費電力問題が顕在化している。特に、ＩＣＴ装置の熱対策に伴う空調の冷房運転における電力消費量の増加の問題が深刻化しつつあり、空調効率の改善が求められている。データセンタ等の空調効率悪化要因は２つ挙げられる。第１の空調効率悪化要因としては、空調機からＩＣＴ装置へ供給する冷気と、ＩＣＴ装置からの排気（暖気）との混合が挙げられる。一方の面に吸気面が設けられ他方の面に排気面が設けられたＩＣＴ装置において、ＩＣＴ装置から排出された暖気は、ＩＣＴ装置の吸気面に回り込む場合があり、空調機から吹き出される冷気と一緒に吸い込まれ、混合する。結果として、ＩＣＴ装置内が適切に冷却されないため、空調機の冷房出力を更に上げることになる。そこで冷暖気混合を抑制するため一般的なマシン室では、ＩＣＴ装置の吸気面同士／排気面同士を向かい合わせて配列させたサーバラックを設置する。
【０００３】
ＩＣＴ装置は、米国ＩＥＡ規格に準ずる１９インチサーバラックに格納され、データセンタ等のマシン室に収容されるのが一般的である。サーバラックは前面から冷気を吸込み、上面又は背面から排気するタイプが多く、各ラックは前面・上面・背面を同じ方向に向けて横一列に配置される。マシン室内には吸気面・排気面を同じ方向に向けて配置されたラック列が、隣接する列の吸気面と吸気面、排気面と排気面とを対向させて、複数列配置される。吸気面に挟まれた通路は後述する二重床から冷気が供給されていることから、コールドアイルと呼ばれる。同様に、排気面に挟まれた通路はラックからの排気で温度が上がるため、ホットアイルと呼ばれる。ホットアイルからコールドアイルへ空気が回り込むと冷却効率の低下を招くため、回り込みを低減するように遮蔽板を使用する方法が提案されている。
【０００４】
また更なる冷暖気分離手段として、コールドアイルまたはホットアイルを不燃性樹脂パネル等で物理的に遮蔽するアイルキャッピング（登録商標）（ＡＣ：ＡＩＳＬＥ  ＣＡＰＰＩＮＧ）の導入が進んでいる。冷暖気分離手段により、冷暖気混合を抑制し、空調効率が改善し得る。
【０００５】
一方、第２の空調効率悪化要因としては、ＩＣＴ装置の負荷急増による排熱量の増加を抑制するための、空調機の冷房運転における過大出力が挙げられる。ＩＣＴ装置の排熱量はＩＣＴ装置の処理負荷量に応じて時々刻々変化する。よって、空調機の冷房運転における出力は、ＩＣＴ装置の突然の負荷急増による排熱量の増加に備えて予め高めに設定されることが一般的であり、空調電力増加の一因となっている。
【０００６】
例えば特許文献１に記載の従来の空調制御システムは、外部センサにより室内の複数の点の温度を測定し、測定した温度を空調機にフィードバックすることで時々刻々変化するＩＣＴ装置の排熱量に対応し、空調機の冷気供給適正化・省エネ性向上を図っている。
【先行技術文献】
【特許文献】
【０００７】
【特許文献１】特開２０１１−０８５２６７号公報
【発明の概要】
【発明が解決しようとする課題】
【０００８】
図１に特許文献１に記載の従来技術における二重天井方式のアイルキャッピングを用いた空調システムを簡略化した概要図を示す。空調制御システム１において、情報通信機械室７は、天井空間７ｂと、室内空間７ａと、二重床空間７ｃと、の３つの空間で分かれている。天井空間７ｂと、室内空間７ａとは、天井パネル７ｅで区切られ二重天井方式になっており、天井パネル７ｅにはＩＣＴ装置の排気を吸い込む吸込口７ｇ１、７ｇ２が設けられている。また、室内空間７ａと、二重床空間７ｃとは、床パネル７ｄで区切られており、床パネル７ｄには、穴あきパネル７ｆが設けられている。そして、室内空間７ａには、ラック列３α、３βと、空調機４とが設置されている。ラック列３αは、ＩＣＴ装置２ａ１〜２ａ７がそれぞれ設置されたラック２αを１台として複数台で構成され、また、ラック列３βは、ＩＣＴ装置２ａ８〜２ａ１４がそれぞれ設置されたラック２βを１台として複数台で構成される。ＩＣＴ装置２ａ１〜２ａ７のそれぞれの吸気面とＩＣＴ装置２ａ８〜２ａ１４のそれぞれの吸気面とは、お互いに向かい合っている。ラック列３αと、ラック列３βとの間には、ＩＣＴ装置に供給される冷気を逃がさないように上から蓋をする構成の（例えば、コの字型の）アイルキャッピング８ａが設置されている。また、コールドアイル８内の温度を測定する温度センサＳ１がアイルキャッピング上部に取り付けられている。
【０００９】
冷房運転によって空調機４から吹き出された冷気は、図１の矢印が示すように、二重床空間７ｃを通って穴あきパネル７ｆを通り抜けて上昇し、アイルキャッピング８ａによって留まり、コールドアイル８を形成する。コールドアイル８を形成する冷気は、ＩＣＴ装置２ａ１〜２ａ１４のそれぞれの吸気面から吸い込まれ、ＩＣＴ装置２ａ１〜２ａ１４内の熱を奪って、ＩＣＴ装置２ａ１〜２ａ１４のそれぞれの排気面から排出される。そして、排出された暖気により、ホットアイル９α、９βが形成される。排出された暖気は、上昇し、吸込口７ｇ１および吸込口７ｇ２を通って天井空間７ｂ内に入り、空調機４の中へ吸い込まれ、再び冷気として吹き出される。つまり、アイルキャッピング８ａによりコールドアイル８と、ホットアイル９α、９βとが区切られ、ＩＣＴ装置における供給される冷気と排気される暖気との混合が抑制されている。
【００１０】
特許文献１に記載の従来の空調制御システム１においては、情報通信機械室７内における温度を温度センサＳ１で測定し、測定データを空調機４にフィードバックすることにより室温を一定範囲内に維持していた。
【００１１】
しかし、ＩＣＴ装置２ａ１〜２ａ１４の負荷の急な増加に伴いＩＣＴ装置２ａ１〜２ａ１４内の温度が上昇してからコールドアイル８内の温度が上昇するまでにはタイムラグがあり、温度センサＳ１は温度上昇を検出するのに一定の時間がかかる。温度センサＳ１が温度上昇を検出して空調機４が冷気を吹き出すまでは、ＩＣＴ装置２ａ１〜２ａ１４のそれぞれの内部温度は上昇し、ＩＣＴ装置２ａ１〜２ａ１４のそれぞれの吸い込み風量は増大する。そして、コールドアイル８の内圧が降下してホットアイル９α、９βを含む室内空間７ａの外気が、ラック２α内のＩＣＴ装置２ａ１〜２ａ７間の隙間、ラック２β内のＩＣＴ装置２ａ８〜２ａ１４間の隙間、およびアイルキャッピング８ａの隙間など、完全に閉鎖するのが困難な隙間からコールドアイル８内に流入し、一時的にコールドアイル８内の温度が上昇する。よって、温度が上昇したコールドアイル８内の冷気が、ＩＣＴ装置２ａ１〜２ａ１４のそれぞれの吸い込み口に入り、ＩＣＴ装置の吸気温度が一時的に上昇してしまうという問題があった。
【００１２】
そこでＩＣＴ装置の処理負荷急増に伴う温度上昇を見越して、通常時のＩＣＴ装置の吸気温度がＩＣＴ装置の許容最高温度よりもやや低くなるように空調出力を設定する必要があり、空調出力過大となる問題があった。
【００１３】
本発明は、このような問題に鑑みてなされたもので、その目的とするところは、ＩＣＴ装置の負荷急増の際の吸気温度上昇を防止することで、通常時の吸気温度をＩＣＴ装置の許容最高温度付近まで緩和し、空調出力過大を解消しようとするための、空調制御システムおよび空調制御方法を提供することにある。
【課題を解決するための手段】
【００１４】
上記課題を解決するための手段として、マシン室内におけるコールドＡＣ内外の気圧差を検知して空調機にフィードバックし、気圧差が一定に維持するように空調吹出風量を変化させる。
【００１５】
本発明は、このような目的を達成するために、請求項１に記載の発明は、複数のサーバラック列により、コールドアイルとホットアイルが形成される室内で、前記コールドアイルで形成された空間と前記ホットアイルで形成された空間とを区画するアイルキャッピングと、前記アイルキャッピングの下部の前記コールドアイル内へ供給される空調機の冷却風量を調節する空調制御部とを備えた空調制御システムであって、前記アイルキャッピングの下部の前記コールドアイルの内部に設置され、コールドアイル内気圧ＰＩＮを計測する第１の気圧計測部と、前記アイルキャッピングの下部の前記コールドアイルの外部に設置され、コールドアイル外気圧ＰＯＵＴを計測する第２の気圧計測部とを備え、前記空調制御部は、前記内気圧ＰＩＮおよび前記外気圧ＰＯＵＴを受信して、前記内気圧ＰＩＮと前記外気圧ＰＯＵＴとの気圧差ΔＰを演算し、前記気圧差ΔＰと第１の数値Ｐ０を比較して、ΔＰ＜Ｐ０の場合、前記冷却風量を増やす第１の風量指示信号を前記空調機に送信し、ΔＰ＞Ｐ０の場合、前記冷却風量を減らす第２の風量指示信号を前記空調機に送信することを特徴とする。
【発明の効果】
【００１６】
以上説明したように、本発明によれば、ＩＣＴ装置の処理負荷急増に伴ってＩＣＴ装置の吸気量が増加してＡＣの下部のコールドアイル内の気圧が低下した際、空調吹出風量を増加させることで、ＡＣの下部のコールドアイル内の気圧を瞬時に回復させることができる。コールドアイル内の気圧が外部よりも高い状態を維持できれば、コールドアイル内には暖気が回り込まないため、コールドアイル内部の温度は上昇しない。従って本発明によれば、ＩＣＴ装置の処理負荷急増時のＩＣＴ装置の吸気温度上昇を高精度に防止できることから、過大な空調出力をなくすことができ、空調電力が削減できる。
【図面の簡単な説明】
【００１７】
【図１】従来技術にかかる空調制御システムを示す断面構成図である。
【図２】本発明の第１の実施形態にかかる空調制御システムを示す斜視図である。
【図３】本発明の第１の実施形態にかかる空調制御システムを示す断面構成図である。
【図４】本発明の第１の実施形態にかかるフロー図である。
【図５】本発明の第２の実施形態にかかる空調制御システムを示す断面構成図である。
【図６】本発明の第２の実施形態にかかるフロー図である。
【図７】本発明の第３の実施形態にかかる空調制御システムを示す断面構成図である。
【図８】本発明の第３の実施形態にかかるフロー図である。
【図９】本発明の第４の実施形態にかかる空調制御システムを示す断面構成図である。
【図１０】本発明の第４の実施形態にかかるフロー図である。
【発明を実施するための形態】
【００１８】
以下、図面を参照しながら本発明の実施形態について詳細に説明する。
【００１９】
（第１の実施形態）  
図２に本発明の第１の実施形態にかかる空調制御システムの斜視図を示す。また図３に図２を側面から見た、本発明の第１の実施形態にかかる空調制御システムの断面構成図を示す。
【００２０】
本発明の第１の実施形態にかかる空調制御システム１００は、冷気を、二重床を介してコールドＡＣ１０３の下部のコールドアイルに供給する空調機１０１と、ＩＣＴ装置（サーバ）が配置されたサーバラック（例えば、米国ＥＩＡ規格で定められた１９インチサーバラック）が吸気面を互いに向かい合わせるように設置されたサーバラック列１０２ａ、１０２ｂと、サーバラックの吸気面が向かい合うことにより形成されたコールドアイルを覆うようにサーバラック列１０２ａ、１０２ｂ間の上部および側部に形成されたコールドＡＣ１０３と、コールドＡＣ１０３の下部のコールドアイル内の気圧ＰＩＮを計測し空調制御部１０６に送信する第１の気圧計測部１０４と、コールドアイル外の気圧ＰＯＵＴを計測し空調制御部１０６に送信する第２の気圧計測部１０５と、コールドアイル内気圧ＰＩＮおよびコールドアイル外気圧ＰＯＵＴの値に基づいた風量指示信号を空調機１０１に送信する空調制御部１０６とを含む。
【００２１】
第１の気圧計測部１０４は、コールドＡＣ１０３の下部のコールドアイル内の気圧ＰＩＮを計測できるようにコールドアイル側のコールドＡＣ１０３の表面に設置される。また、第２の気圧計測部１０５は、コールドアイルが含まれるコールドＡＣ１０３の外部の気圧ＰＯＵＴを計測できるようにコールドアイル側とは反対側のコールドＡＣ１０３の表面に設置される。
【００２２】
図４のフロー図を参照しながら、本発明の第１の実施形態にかかる空調制御システム１００の動作について説明する。
【００２３】
空調機の作動の際に、第１の気圧計測部１０４は、コールドアイル内気圧ＰＩＮを計測して空調制御部１０６へ送信し（Ｓ１０１）、第２の気圧計測部１０５は、コールドアイル外気圧ＰＯＵＴを計測して空調制御部１０６へ送信する（Ｓ１０２）。空調制御部１０６は、受信したコールドアイル内気圧ＰＩＮと受信したコールドアイル外気圧ＰＯＵＴとの気圧差ΔＰを演算する（Ｓ１０３）。
【００２４】
そして空調制御部１０６は、あらかじめ設定された、目標値Ｐ０（第１の数値）とコールドアイル内外の気圧差ΔＰとを比較する（Ｓ１０４）。目標値Ｐ０は、暖気を含んだ外気がサーバラック内のＩＣＴ装置間の隙間やコールドＡＣ１０３の隙間から流入しないようなコールドアイル内外圧力差を表す。
【００２５】
空調制御部１０６は、目標値Ｐ０と気圧差ΔＰとを比較した結果、ΔＰ＜Ｐ０の場合、ＩＣＴ装置の冷却風量を増やす指示信号を空調機へ送信する（Ｓ１０５）。冷却風量を増やす指示信号を受信した空調機は、コールドアイル内の圧力を上昇するように冷気を吹き出す。
【００２６】
空調制御部１０６は、目標値Ｐ０と気圧差ΔＰとを比較した結果、ΔＰ＞Ｐ０の場合、ＩＣＴ装置の冷却風量を減らす指示信号を空調機へ送信する（Ｓ１０６）。冷却風量を減らす指示信号を受信した空調機は、コールドアイル内の圧力を下降するように冷気の吹き出しを抑える。
【００２７】
空調制御部１０６は、目標値Ｐ０と気圧差ΔＰとを比較した結果、ΔＰ＝Ｐ０の場合は、ステップ（Ｓ１０１）に戻る。
【００２８】
（第２の実施形態）  
図５に本発明の第２の実施形態にかかる空調制御システムの断面構成図を示す。
【００２９】
本発明の第２の実施形態にかかる空調制御システム２００は、冷気を、二重床を介してコールドＡＣ２０３の下部のコールドアイルに供給する空調機２０１と、ＩＣＴ装置が配置されたサーバラック（例えば、米国ＥＩＡ規格で定められた１９インチサーバラック）が吸気面を互いに向かい合わせるように設置されたサーバラック列１０２ａ、１０２ｂと、サーバラックの吸気面が向かい合うことにより形成されたコールドアイルを覆うようにサーバラック列１０２ａ、１０２ｂ間の上部および側部に形成されたコールドＡＣ２０３と、コールドＡＣ２０３の下部のコールドアイル内の気圧とコールドＡＣ２０３の下部のコールドアイル外の気圧との気圧差ΔＰ２を計測し空調制御部２０５に送信する気圧差計測部２０４と、気圧差ΔＰ２の値に基づいた風量指示信号を空調機２０１に送信する空調制御部２０５とを含む。気圧差計測部２０４は、コールドＡＣ２０３の下部のコールドアイル内外の気圧差ΔＰ２を計測できるようにコールドＡＣ２０３の表面に設置される。
【００３０】
図６のフロー図を参照しながら、本発明の第２の実施形態にかかる空調制御システム２００の動作について説明する。
【００３１】
空調機の作動の際に、気圧差計測部２０４は、コールドアイル内外の気圧差ΔＰ２を計測して空調制御部２０５へ送信する（Ｓ２０１）。
【００３２】
そして空調制御部２０５は、あらかじめ設定された、目標値Ｐ０（第１の数値）と気圧差ΔＰ２とを比較する（Ｓ２０２）。目標値Ｐ０は、暖気を含んだ外気がサーバラック内のＩＣＴ装置間の隙間やコールドＡＣ２０３の隙間から流入しないようなコールドアイル内外圧力差を表す。
【００３３】
空調制御部２０５は、目標値Ｐ０と気圧差ΔＰ２とを比較した結果、ΔＰ２＜Ｐ０の場合、ＩＣＴ装置の冷却風量を増やす指示信号を空調機へ送信する（Ｓ２０３）。冷却風量を増やす指示信号を受信した空調機は、コールドアイル内の圧力を上昇するように冷気を吹き出す。
【００３４】
空調制御部２０５は、目標値Ｐ０と気圧差ΔＰ２とを比較した結果、ΔＰ２＞Ｐ０の場合、ＩＣＴ装置の冷却風量を減らす指示信号を空調機へ送信する（Ｓ２０４）。冷却風量を減らす指示信号を受信した空調機は、コールドアイル内の圧力を下降するように冷気の吹き出しを抑える。
【００３５】
空調制御部２０５は、目標値Ｐ０と気圧差ΔＰ２とを比較した結果、ΔＰ２＝Ｐ０の場合は、ステップ（Ｓ２０１）に戻る。
【００３６】
（第３の実施形態）  
図７に本発明の第３の実施形態にかかる空調制御システムの断面構成図を示す。
【００３７】
本発明の第３の実施形態にかかる空調制御システム３００は、冷気を、二重床を介してコールドＡＣ３０３の下部のコールドアイルに供給する空調機３０１と、ＩＣＴ装置が配置されたサーバラック（例えば、米国ＥＩＡ規格で定められた１９インチサーバラック）が吸気面を互いに向かい合わせるように設置されたサーバラック列１０２ａ、１０２ｂと、サーバラックの吸気面が向かい合うことにより形成されたコールドアイルを覆うようにサーバラック列１０２ａ、１０２ｂ間の上部および側部に形成されたコールドＡＣ３０３と、コールドＡＣ３０３に取り付けられたタービンの回転数Ｗを計測し空調制御部３０５に送信するタービン回転数計測部３０４と、タービン回転数Ｗの値に基づいた風量指示信号を空調機３０１に送信する空調制御部３０５とを含む。タービン回転数計測部３０４は、コールドアイル内外を行き来する風によって回転するタービンを含む。タービン回転数Ｗは、本実施形態ではコールドアイル内からコールドアイル外に風が抜ける場合を正とする。
【００３８】
図８に本発明の第３の実施形態にかかるフロー図を示す。
【００３９】
図８のフロー図を参照しながら、本発明の第３の実施形態にかかる空調制御システム３００の動作について説明する。
【００４０】
空調機の作動の際に、タービン回転数計測部３０４は、タービン回転数Ｗを計測して空調制御部３０５へ送信する（Ｓ３０１）。
【００４１】
そして空調制御部３０５は、あらかじめ設定された、目標値Ｗ０（第２の数値）とタービン回転数Ｗとを比較する（Ｓ３０２）。目標値Ｗ０は、暖気を含んだ外気がサーバラック内のＩＣＴ装置間の隙間やコールドＡＣ３０３の隙間から流入しないようなコールドアイル内外圧力差が保持されたタービン回転数を表す。
【００４２】
空調制御部３０５は、目標値Ｗ０とタービン回転数Ｗとを比較した結果、Ｗ＜Ｗ０の場合、ＩＣＴ装置の冷却風量を増やす指示信号を空調機へ送信する（Ｓ３０３）。冷却風量を増やす指示信号を受信した空調機は、コールドアイル内の圧力を上昇するように冷気を吹き出す。
【００４３】
空調制御部３０５は、目標値Ｗ０とタービン回転数Ｗとを比較した結果、Ｗ＞Ｗ０の場合、ＩＣＴ装置の冷却風量を減らす指示信号を空調機へ送信する（Ｓ３０４）。冷却風量を減らす指示信号を受信した空調機は、コールドアイル内の圧力を下降するように冷気の吹き出しを抑える。
【００４４】
空調制御部３０５は、目標値Ｗ０とタービン回転数Ｗとを比較した結果、Ｗ＝Ｗ０の場合は、ステップ（Ｓ３０１）に戻る。
【００４５】
（第４の実施形態）  
図９に本発明の第４の実施形態にかかる空調制御システムの断面構成図を示す。
【００４６】
本発明の第４の実施形態にかかる空調制御システム４００は、冷気を、二重床を介して第２のコールドＡＣ４０３の下部のコールドアイルに供給する空調機４０１と、ＩＣＴ装置が配置されたサーバラック（例えば、米国ＥＩＡ規格で定められた１９インチサーバラック）が吸気面を互いに向かい合わせるように設置されたサーバラック列１０２ａ、１０２ｂと、サーバラックの吸気面が向かい合うことにより形成されたコールドアイルを覆うようにサーバラック列１０２ａ、１０２ｂ間の上部および側部に形成された第２のコールドＡＣ４０３と、第２のコールドＡＣ４０３を構成する空気遮断シート（膨張可能なシート）が外側に膨らむときの変位Ｘを測定し空調制御部４０５に送信する変位測定部４０４と、変位Ｘの値に基づいた風量指示信号を空調機４０１に送信する空調制御部４０５とを含む。
【００４７】
変位Ｘは、例えば、コールドアイルの内外圧が等しいときに定義される基準面から、空気遮断シートの膨らみ又は萎みの頂点までの距離をいう。変位Ｘは、第２のコールドＡＣ４０３の上部に取り付けられたセンサ等の変位測定部４０４で測定される。
【００４８】
第２のコールドＡＣ４０３を構成する素材の全て又は一部は、例えばナイロン等の空気を通さない材質の空気遮断シートで構成される。また空気遮断シートはやや弛みをもって施工される。第２のコールドＡＣ４０３の下部のコールドアイル内の気圧が第２のコールドＡＣ４０３の下部のコールドアイル外の気圧よりも高い場合、空気遮断シートが外側に膨らむ。変位測定部４０４は、空気遮断シートが外側に膨らむときの空気遮断シートの変位Ｘを測定する。
【００４９】
図１０に本発明の第４の実施形態にかかるフロー図を示す。
【００５０】
図１０のフロー図を参照しながら、本発明の第４の実施形態にかかる空調制御システム４００の動作について説明する。
【００５１】
空調機の作動の際に、変位測定部４０４は、コールドアイル内外の変位Ｘを測定して空調制御部４０５へ送信する（Ｓ４０１）。
【００５２】
そして空調制御部４０５は、あらかじめ設定された、目標値Ｘ０（第３の数値）と変位Ｘとを比較する（Ｓ４０２）。目標値Ｘ０は、暖気を含んだ外気がサーバラック内のＩＣＴ装置間の隙間や第２のコールドＡＣ４０３の隙間から流入しないような、第２のコールドＡＣ４０３を構成する空気遮断シートが外側に膨らむときの空気遮断シートの変位Ｘを表す。
【００５３】
空調制御部４０５は、目標値Ｘ０と変位Ｘとを比較した結果、Ｘ＜Ｘ０の場合、ＩＣＴ装置の冷却風量を増やす指示信号を空調機へ送信する（Ｓ４０３）。冷却風量を増やす指示信号を受信した空調機は、コールドアイル内の圧力を上昇するように冷気を吹き出す。
【００５４】
空調制御部４０５は、目標値Ｘ０と変位Ｘとを比較した結果、Ｘ＞Ｘ０の場合、ＩＣＴ装置の冷却風量を減らす指示信号を空調機へ送信する（Ｓ４０４）。冷却風量を減らす指示信号を受信した空調機は、コールドアイル内の圧力を下降するように冷気の吹き出しを抑える。
【００５５】
空調制御部４０５は、目標値Ｘ０と変位Ｘとを比較した結果、Ｘ＝Ｘ０の場合は、ステップ（Ｓ４０１）に戻る。
【００５６】
以上より本発明の一実施形態によれば、ＡＣの下部のコールドアイル内の気圧はＡＣの下部のコールドアイル外の気圧よりも常に高く維持される。したがってＡＣの下部のコールドアイル外の暖気はコールドアイル内には流入せず、コールドアイル内の温度上昇は防止される。
【００５７】
本発明は、各実施形態で述べてきた形態、または図示した形態に限定されない。例えば、従来技術として図１に二重天井方式のアイルキャッピングを用いた空調システムを示したが、二重天井方式でない空調システムでも、本発明の第１乃至第４の実施形態が適応可能である。
【符号の説明】
【００５８】
Ｓ１  センサ
１、１００、２００、３００、４００  空調制御システム
２α、２β  サーバラック
２ａ１、２ａ２、２ａ３、２ａ４、２ａ５、２ａ６、２ａ７、２ａ８、２ａ９、２ａ１０、２ａ１１、２ａ１２、２ａ１３、２ａ１４  ＩＣＴ装置
３α、３β、１０２ａ、１０２ｂ  サーバラック列
４、１０１、２０１、３０１、４０１  空調機
７  情報通信機械室
７ａ  室内空間
７ｂ  天井空間
７ｃ  二重床空間
７ｄ  床パネル
７ｅ  天井パネル
７ｆ  穴あきパネル
７ｇ１、７ｇ２  吸込口
８  コールドアイル
８ａ  アイルキャッピング
９  ホットアイル
１０３、２０３、３０３  コールドＡＣ
１０４  第１の気圧計測部
１０５  第２の気圧計測部
１０６、２０５、３０５、４０５  空調制御部
２０４  気圧差計測部
３０４  タービン回転数計測部
４０３  第２のコールドＡＣ
４０４  変位測定部
【図１】
2014178067.tif 000003
【図２】
2014178067.tif 000004
【図３】
2014178067.tif 000005
【図４】
2014178067.tif 000006
【図５】
2014178067.tif 000007
【図６】
2014178067.tif 000008
【図７】
2014178067.tif 000009
【図８】
2014178067.tif 000010
【図９】
2014178067.tif 000011
【図１０】
2014178067.tif 000012